(57)【特許請求の範囲】
【請求項１】
光波長毎に、無線信号を収容した光多重信号を伝送する光伝送装置であって、
対向装置との間で光多重信号を伝送する複数の通信部と、
前記通信部毎に接続するポートを備え、当該ポートを通過する前記光多重信号から任意の光波長を透過する波長選択スイッチと、
前記対向装置内の無線部を制御し、指定された前記光波長内の前記無線信号の周波数を変更する第１の制御部と、
前記第１の制御部による前記無線信号の周波数の変更に応じて、当該光波長を通過する前記ポートの透過帯域を変更する第２の制御部と、
前記対向装置の光送信部を制御し、前記第２の制御部による変更後の当該ポートの透過帯域の中心波長に、当該ポートを通過する光波長の中心波長を変更する第３の制御部と
を有することを特徴とする光伝送装置。
【請求項２】
前記第３の制御部は、
指定された前記光波長の帯域幅を変更する方向の空き帯域分拡張するように当該光波長のポートの透過帯域を変更した後、当該拡張変更後の透過帯域の中心波長に当該拡張変更後の透過帯域を通過する前記光波長の中心波長を変更し、
前記第１の制御部は、
前記第３の制御部にて前記光波長の中心波長を変更した後に、前記中心波長変更後の前記光波長内の前記無線信号の周波数を変更し、
前記第２の制御部は、
前記第１の制御部にて前記中心波長変更後の前記光波長内の前記無線信号の周波数を変更した後に、当該光波長を通過する前記ポートの前記透過帯域を変更することを特徴とする請求項１に記載の光伝送装置。
【請求項３】
前記第１の制御部は、
指定された前記光波長の帯域幅を変更する方向の空き帯域分拡張するように当該光波長のポートの透過帯域を変更した後、当該拡張変更後の透過帯域を通過した前記光波長内の前記無線信号の周波数を変更し、
前記第３の制御部は、
前記第１の制御部にて前記拡張変更後の透過帯域を通過した前記光波長内の前記無線信号の周波数を変更した後、当該拡張変更後の透過帯域の中心波長に当該透過帯域を通過する前記光波長の中心波長を変更し、
前記第２の制御部は、
前記第３の制御部にて前記光波長の中心波長を変更した後に、当該光波長を通過する前記ポートの透過帯域を変更することを特徴とする請求項１に記載の光伝送装置。
【請求項４】
前記光多重信号内の光波長毎の中心波長の変更完了後に、前記無線信号のグループに応じて前記光波長を割り当て、その割り当てられた光波長に当該グループの前記無線信号を収容する制御部を有し、
前記第２の制御部は、
当該光波長を通過するポートの透過帯域を変更することを特徴とする請求項１〜３の何れか一つに記載の光伝送装置。
【請求項５】
前記光多重信号内の前記光波長内の無線信号の空き周波数を検出した場合に当該空き周波数の予約状況に基づき、前記光波長毎の中心波長の変更の実行可否を判定する判定部を有することを特徴とする請求項１〜４の何れか一つに記載の光伝送装置。
【請求項６】
光波長毎に、無線信号を収容した光多重信号を伝送するため、対向装置との間で光多重信号を伝送する複数の通信部毎に接続するポートを備え、当該ポートを通過する前記光多重信号から任意の光波長を透過する波長選択スイッチを有する光伝送装置の光波長デフラグ方法であって、
指定された前記光波長内の前記無線信号の周波数を変更し、
前記無線信号の周波数の変更に応じて当該光波長を通過する前記ポートの透過帯域を変更し、
変更後の当該ポートの透過帯域の中心波長に、当該ポートを通過する光波長の中心波長を変更する
ことを特徴とする光波長デフラグ方法。
【発明の詳細な説明】
【技術分野】
【０００１】
本発明は、光伝送装置及び光波長デフラグ方法に関する。
【背景技術】
【０００２】
近年、基地局は、様々な周波数帯域の無線信号や速度要求の異なる無線信号を収容し、これらの無線信号を高速で信号処理する機能が求められている。また、近年、各基地局からの各種無線信号を、例えば、メトロ網等に接続する収容局まで効率的に伝送する、無線・光融合アクセスネットワークの重要度が増している。収容局には、例えば、光波長毎に無線信号を収容する光多重信号を光伝送する光回線終端装置としての光伝送装置を内蔵している。
【０００３】
光伝送装置では、複数のポートを備えた固定波長フィルタ（ＡＷＧ：Arrayed  Waveguide  Grating）を使用し、ポート毎に光波長を固定的に割り当て、そのポートを通過する光多重信号から当該ポートに割り当てた光波長を透過する。その結果、光伝送装置では、ＡＷＧを用いて光多重信号から任意の光波長を取得し、取得された光波長内の無線信号を取得できる。
【先行技術文献】
【非特許文献】
【０００４】
【非特許文献１】Jun-ichi  Kani,  Shigeru  Kuwano,  Jun  Terada,  “Options  for  future  mobile  backhaul  and  fronthaul,”  Elsevier,  Optical  Fiber  Technology  Volume  26,  Part  A,  December  2015,  Pages  42−49
【発明の概要】
【発明が解決しようとする課題】
【０００５】
光伝送装置では、無線信号を収容する光波長内に空き帯域が生じた場合、無線リソース及び光波長リソースの使用効率が落ちて光波長の伝送効率が低下する。しかしながら、光伝送装置では、ＡＷＧを使用するため、ポート毎に割り当てる光波長が固定、すなわち、ポート毎の透過帯域幅が固定となる。その結果、光伝送装置では、割り当てたポートの透過帯域幅が変更できず、光波長内に空き帯域が生じたまま、光多重信号を伝送することになるため、光波長の伝送効率が低下する。
【０００６】
一つの側面では、光波長の伝送効率の向上を図る光伝送装置及び光波長デフラグ方法を提供することを目的とする。
【課題を解決するための手段】
【０００７】
一つの態様では、光伝送装置が、光波長毎に、無線信号を収容した光多重信号を伝送する。光伝送装置は、複数の通信部と、波長選択スイッチと、第１の制御部と、第２の制御部と、第３の制御部とを有する。通信部は、対向装置との間で光多重信号を伝送する。波長選択スイッチは、通信部毎に接続するポートを備え、当該ポートを通過する光多重信号から任意の光波長を透過する。第１の制御部は、対向装置内の無線部を制御し、指定された光波長内の無線信号の周波数を変更する。第２の制御部は、第１の制御部による無線信号の周波数の変更に応じて、当該光波長を通過するポートの透過帯域を変更する。第３の制御部は、対向装置の光送信部を制御し、第２の制御部による変更後の当該ポートの透過帯域の中心波長に、当該ポートを通過する光波長の中心波長を変更する。
【発明の効果】
【０００８】
一つの側面として、無線信号及び光波長の伝送効率の向上を図る。
【図面の簡単な説明】
【０００９】
【図１】図１は、実施例１の光伝送システムの一例を示す説明図である。
【図２】図２は、収容局及びＯＮＵ内部の一例を示す説明図である。
【図３】図３は、収容局内のコントローラの一例を示すブロック図である。
【図４Ａ】図４Ａは、収容局側のデフラグ処理に関わる光波長毎の無線信号の収容状況の一例を示す説明図である。
【図４Ｂ】図４Ｂは、収容局側のデフラグ処理に関わる光波長毎の無線信号の収容状況の一例を示す説明図である。
【図４Ｃ】図４Ｃは、収容局側のデフラグ処理に関わる光波長毎の無線信号の収容状況の一例を示す説明図である。
【図５Ａ】図５Ａは、収容局側のデフラグ処理に関わる光波長毎の無線信号の収容状況の一例を示す説明図である。
【図５Ｂ】図５Ｂは、収容局側のデフラグ処理に関わる光波長毎の無線信号の収容状況の一例を示す説明図である。
【図５Ｃ】図５Ｃは、収容局側のデフラグ処理に関わる光波長毎の無線信号の収容状況の一例を示す説明図である。
【図５Ｄ】図５Ｄは、収容局側のデフラグ処理に関わる光波長毎の無線信号の収容状況の一例を示す説明図である。
【図５Ｅ】図５Ｅは、収容局側のデフラグ処理に関わる光波長毎の無線信号の収容状況の一例を示す説明図である。
【図６Ａ】図６Ａは、収容局側のデフラグ処理に関わる光波長毎の無線信号の収容状況の一例を示す説明図である。
【図６Ｂ】図６Ｂは、収容局側のデフラグ処理に関わる光波長毎の無線信号の収容状況の一例を示す説明図である。
【図６Ｃ】図６Ｃは、収容局側のデフラグ処理に関わる光波長毎の無線信号の収容状況の一例を示す説明図である。
【図６Ｄ】図６Ｄは、収容局側のデフラグ処理に関わる光波長毎の無線信号の収容状況の一例を示す説明図である。
【図７Ａ】図７Ａは、収容局側のデフラグ処理に関わる光波長毎の無線信号の収容状況の一例を示す説明図である。
【図７Ｂ】図７Ｂは、収容局側のデフラグ処理に関わる光波長毎の無線信号の収容状況の一例を示す説明図である。
【図７Ｃ】図７Ｃは、収容局側のデフラグ処理に関わる光波長毎の無線信号の収容状況の一例を示す説明図である。
【図７Ｄ】図７Ｄは、収容局側のデフラグ処理に関わる光波長毎の無線信号の収容状況の一例を示す説明図である。
【図８】図８は、監視処理に関わる収容局のコントローラ内の処理動作の一例を示すフローチャートである。
【図９】図９は、デフラグ処理に関わる収容局のコントローラ内の処理動作の一例を示すフローチャートである。
【図１０Ａ】図１０Ａは、実施例２の収容局側のデフラグ処理に関わる光波長毎の無線信号の収容状況の一例を示す説明図である。
【図１０Ｂ】図１０Ｂは、実施例２の収容局側のデフラグ処理に関わる光波長毎の無線信号の収容状況の一例を示す説明図である。
【図１０Ｃ】図１０Ｃは、実施例２の収容局側のデフラグ処理に関わる光波長毎の無線信号の収容状況の一例を示す説明図である。
【図１１Ａ】図１１Ａは、実施例２の収容局側のデフラグ処理に関わる光波長毎の無線信号の収容状況の一例を示す説明図である。
【図１１Ｂ】図１１Ｂは、実施例２の収容局側のデフラグ処理に関わる光波長毎の無線信号の収容状況の一例を示す説明図である。
【図１１Ｃ】図１１Ｃは、実施例２の収容局側のデフラグ処理に関わる光波長毎の無線信号の収容状況の一例を示す説明図である。
【図１２Ａ】図１２Ａは、他の実施例に関わる収容局側のデフラグ処理に関わる光波長毎の無線信号の収容状況の一例を示す説明図である。
【図１２Ｂ】図１２Ｂは、他の実施例に関わる収容局側のデフラグ処理に関わる光波長毎の無線信号の収容状況の一例を示す説明図である。
【図１２Ｃ】図１２Ｃは、他の実施例に関わる収容局側のデフラグ処理に関わる光波長毎の無線信号の収容状況の一例を示す説明図である。
【図１２Ｄ】図１２Ｄは、他の実施例に関わる収容局側のデフラグ処理に関わる光波長毎の無線信号の収容状況の一例を示す説明図である。
【発明を実施するための形態】
【００１０】
以下、図面に基づいて、本願の開示する、光伝送装置及び光波長デフラグ方法の実施例を詳細に説明する。尚、本実施例により、開示技術が限定されるものではない。以下の各実施例は、適宜、組合せても良い。
【実施例１】
【００１１】
図１は、実施例１の光伝送システム１の一例を示す説明図である。図１に示す光伝送システム１は、加入者側の複数の光回線終端装置（ＯＮＵ：Optical  Network  Unit）２と、通信事業側の光回線終端装置（ＯＬＴ：Optical  Line  Unit）３を内蔵した収容局４と、光スプリッタ５とを有する。光伝送システム１は、無線伝送及び光伝送を融合する光・無線融合ネットワークである。ＯＮＵ２は、例えば、スマートフォン６Ａ、タブレット６Ｂや各種センサ６Ｃを無線接続する基地局７と接続する。基地局７は、例えば、スマートフォン６Ａとの間で動画配信等の中速データの無線信号を伝送する。また、基地局７は、例えば、タブレット６Ｂとの間で高精細動画等の高速データの無線信号を伝送する。また、基地局７は、例えば、センサ６Ｃとの間でセンサ結果等の低速データの無線信号を伝送する。尚、説明の便宜上、＃１のＯＮＵ２は、＃１の基地局７に接続し、＃２のＯＮＵ２は、＃２の基地局７に接続し、＃３のＯＮＵ２は、＃３の基地局７に接続し、＃４のＯＮＵ２は、＃４の基地局７に接続するものとする。また、＃１〜＃４の基地局７は、地理的に近接して配置しているものとする。
【００１２】
収容局４は、例えば、メトロ網１Ａに接続する。尚、収容局４に接続する網としては、メトロ網１Ａに限定されるものではなく、例えば、長距離網等であっても良い。図２は、収容局４及びＯＮＵ２内部の一例を示す説明図である。収容局４は、ＯＬＴ３の他に、複数のＢＢＵ（Base  Band  Unit）１１と、コントローラ１２とを有する。ＢＢＵ１１は、光波長内の各無線信号に対してベースバンド処理を施すユニットである。コントローラ１２は、収容局４全体を制御する。ＯＬＴ３は、各ＯＮＵ２との間で光多重信号を伝送する光ファイバ８で接続する。光多重信号は、光波長毎に無線信号を収容して伝送する信号である。光スプリッタ５は、ＯＬＴ３からの光多重信号を光分岐すると共に、各ＯＮＵ２からの光波長を光多重信号に光合波する。
【００１３】
ＯＬＴ３は、複数の光通信部２１と、波長選択スイッチ（ＷＳＳ：Wavelength  Selective  Switch）２２とを有する。光通信部２１は、光送信部２１Ａと、光受信部２１Ｂとを有する。光送信部２１Ａは、ＯＬＴ３からＯＮＵ２への下りの光多重信号内の光波長を可変可能にし、任意の光波長を送信する。光受信部２１Ｂは、ＷＳＳ２２のポートを透過した、ＯＮＵ２からＯＬＴ３への上りの光多重信号内の任意の光波長を受信する。尚、説明の便宜上、光通信部２１を４台としたが、４台に限定されるものではなく、適宜変更可能である。ＷＳＳ２２は、複数のポートＰを備え、ポートＰ毎の透過帯域を調整可能にするスイッチである。ＷＳＳ２２は、ポートＰ毎の透過帯域を調整することで、ポートＰ毎に任意の光波長を割り当て、その光波長の帯域幅を調整できる。ＷＳＳ２２は、下りの光多重信号から任意の光波長を光分岐すると共に、光通信部２１からの光波長を上りの光多重信号に光合波する。
【００１４】
ＷＳＳ２２は、例えば、ポートＰ１に＃１の光通信部２１を接続し、ポートＰ２に＃２の光通信部２１を接続し、ポートＰ３に＃３の光通信部２１を接続し、ポートＰ４に＃４の光通信部２１を接続する。ＷＳＳ２２は、例えば、ポートＰ１を通じて＃１の光通信部２１に対して光多重信号から任意の光波長を出力する。＃１の光通信部２１内の光送信部２１Ａ及び＃１のＯＮＵ２内の光通信部３１内の光受信部３１Ｂはλ１の光波長、＃２の光通信部２１内の光送信部２１Ａ及び＃２のＯＮＵ２内の光通信部３１内の光受信部３１Ｂはλ２の光波長で通信する。＃３の光通信部２１内の光送信部２１Ａ及び＃３のＯＮＵ２内の光通信部３１内の光受信部３１Ｂはλ３の光波長、＃４の光通信部２１内の光送信部２１Ａ及び＃４のＯＮＵ２内の光通信部３１内の光受信部３１Ｂはλ４の光波長で通信する。
【００１５】
ＯＮＵ２は、光通信部３１と、光カプラ３２とを有する。光通信部３１は、光送信部３１Ａと、光受信部３１Ｂとを有する。光送信部３１Ａは、上りの光多重信号に使用する光波長を可変可能にし、任意の光波長を送信する。光受信部３１Ｂは、下りの光多重信号を受信する。光カプラ３２は、光送信部３１Ａからの光波長をＯＬＴ３に送信すると共に、ＯＬＴ３からの光多重信号を光受信部３１Ｂに送信する。
【００１６】
図３は、コントローラ１２の一例を示すブロック図である。図３に示すコントローラ１２は、ＢＢＵ監視部４１と、無線周波数監視部４２と、無線管理部４３と、第１の制御部４４と、第２の制御部４５と、波長管理部４６と、第３の制御部４７と、第４の制御部４８と、制御部４９とを有する。
【００１７】
ＢＢＵ監視部４１は、各ＢＢＵ１１を監視する。無線周波数監視部４２は、ＢＢＵ監視部４１の監視結果に基づき、各基地局７の無線信号の無線周波数の使用状況を監視する。無線管理部４３は、各無線信号の無線周波数毎の使用状況及び予約状況を管理する。尚、使用状況は、当該無線周波数の使用の有無を識別する識別子を格納するものである。予約状況は、当該無線周波数を使用する予約の有無を示す識別子を格納するものである。
【００１８】
第１の制御部４４は、指定された光波長内の無線信号をデフラグする方向、例えば、低周波数側にシフトすべく、光波長内の無線信号の無線周波数を制御する基地局７内のＲＲＨ７Ａを制御する。第１の制御部４４は、無線信号を低周波数側にシフトする無線制御情報を基地局７内のＲＲＨ７Ａに通知する。ＲＲＨ７Ａは、無線制御情報に基づき、無線信号の無線周波数を低周波数側にシフトする。尚、第１の制御部４４がＲＲＨ７Ａに対して無線制御情報を通知する方法としては、光多重信号内のヘッダ部分に無線制御情報を配置して通知するものとする。
【００１９】
第２の制御部４５は、ＷＳＳ２２内のポートＰの透過帯域を調整すべく、ＷＳＳ２２を制御する。尚、ＷＳＳ２２は、ポートＰ毎の透過帯域を調整し、光多重信号から任意の光波長は勿論のこと、任意帯域幅の光波長を透過出力できる。
【００２０】
波長管理部４６は、光波長毎の使用状況を管理する。第３の制御部４７は、光波長の中心波長をシフトすべく、ＯＮＵ２側の光通信部３１内の光送信部３１Ａに対して光波長制御情報を通知する。光通信部３１内の光送信部３１Ａは、光波長制御情報に基づき、光波長の中心波長をシフトする。尚、第３の制御部４７がＯＮＵ２側の光通信部３１に対して光波長制御情報を通知する方法としては、光多重信号内のヘッダ部分に光波長制御情報を配置して通知するものとする。
【００２１】
第４の制御部４８は、自装置内の光通信部２１を制御する。第４の制御部４８は、例えば、上りの光多重信号の光波長に合わせて下りの光多重信号の光波長を調整するために、光通信部２１内の光送信部２１Ａの光波長の中心波長をシフトすべく、光通信部２１を制御する。制御部４９は、コントローラ１２全体を制御する。制御部４９は、指定部４９Ａと、判定部４９Ｂとを有する。指定部４９Ａは、光多重信号から任意の光波長を指定する。判定部４９Ｂは、光波長内の空き周波数帯域の予約状況を参照し、空き周波数帯域が予約済みであるか否かを判定する。制御部４９は、空き周波数帯域が予約済みの場合、デフラグ処理を実行しない。また、制御部４９は、空き周波数帯域が予約済みでない場合、デフラグ処理を実行する。
【００２２】
次に実施例１の光伝送システム１の動作について説明する。図４Ａ〜図４Ｃ、図５Ａ〜図５Ｅ、図６Ａ〜図６Ｄ、図７Ａ〜図７Ｄは、収容局４側のデフラグ処理に関わる光波長毎の無線信号の収容状況の一例を示す説明図である。尚、説明の便宜上、光波長をデフラグする方向は光波長の短波長側にシフトする方向、光波長内の無線信号をデフラグする方向は光波長内の低周波数側にシフトする方向とする。
【００２３】
図４Ａに示す収容状況は、初期状態として、ポートＰ１で透過した＃１のＯＮＵ２の光波長と、ポートＰ２で透過した＃２のＯＮＵ２の光波長と、ポートＰ３で透過した＃３のＯＮＵ２の光波長と、ポートＰ４で透過した＃４のＯＮＵ２の光波長とを収容する。＃１のＯＮＵ２の光波長は＃１の基地局７の無線信号、＃２のＯＮＵ２の光波長は＃２の基地局７の無線信号を収容する。また、＃３のＯＮＵ２の光波長は＃３の基地局７の無線信号、＃４のＯＮＵ２の光波長は＃４の基地局７の無線信号を収容する。尚、無線信号の種別には、例えば、高速データ、中速データ及び低速データを有する。制御部４９は、ＢＢＵ監視部４１の監視結果に基づき、光波長内の各無線信号の無線周波数の使用状況を監視し、その無線信号毎の使用状況を無線管理部４３に管理する。
【００２４】
図４Ｂに示す収容状況は、＃１のＯＮＵ２の光波長内に＃１の基地局７の無線信号の空き、＃２のＯＮＵ２の光波長内に＃２の基地局７の無線信号の空き、＃４のＯＮＵ２の光波長内に＃４の基地局７の無線信号の空きが生じた状況を示している。制御部４９は、無線周波数監視部４２の監視結果に基づき、光波長内の無線信号の空き無線周波数を特定する。
【００２５】
第１の制御部４４は、＃１のＯＮＵ２の光波長内の無線信号を低周波数方向にデフラグすべく、＃１のＯＮＵ２と接続する＃１の基地局７のＲＲＨ７Ａに対して無線制御情報を通知する。＃１の基地局７内のＲＲＨ７Ａは、無線制御情報に基づき、図４Ｃに示すように＃１のＯＮＵ２の光波長内の無線信号を低周波数側にシフトする。図４Ｃに示す収容状況は、＃１のＯＮＵ２の光波長内の無線信号を低周波数側にシフトしたので、＃１のＯＮＵ２の光波長内の高周波数側に空き帯域が生じた状態である。
【００２６】
第２の制御部４５は、＃１のＯＮＵ２の光波長を短波長方向にデフラグ、すなわち＃１のＯＮＵ２の光波長内の長波長側の空き帯域を詰めるべく、ＷＳＳ２２内のポートＰ１の透過帯域を調整する。ＷＳＳ２２は、ポートＰ１の透過帯域を調整し、図５Ａに示すように＃１のＯＮＵ２の光波長をポートＰ１から透過出力する。図５Ａに示す収容状況は、＃１のＯＮＵ２の光波長内の長波長側の空き帯域を詰めて＃１のＯＮＵ２の光波長を短波長側にシフトしたので、＃１のＯＮＵ２の光波長を短波長方向にデフラグした状態である。その結果、＃１のＯＮＵ２の光波長のデフラグが完了する。
【００２７】
制御部４９は、＃１のＯＮＵ２の光波長のデフラグ完了後、次に短波長の＃２のＯＮＵ２の光波長のデフラグを開始する。第２の制御部４５は、＃２のＯＮＵ２の光波長の短波長側に、＃１のＯＮＵ２の光波長との間の空き帯域があるか否かを判定する。第２の制御部４５は、＃２のＯＮＵ２の光波長の短波長側に空き帯域がある場合、空き帯域分、＃２のＯＮＵ２の光波長内の短波長側の帯域を広げるべく、ＷＳＳ２２内のポートＰ２の透過帯域を調整する。尚、＃２のＯＮＵ２の光波長の帯域拡張後の帯域幅は、＃１のＯＮＵ２の光波長の帯域が重ならない程度とする。ＷＳＳ２２は、ポートＰ２の透過帯域を調整し、図５Ｂに示すように＃２のＯＮＵ２の光波長をポートＰ２から透過出力する。図５Ｂに示す収容状況は、＃２のＯＮＵ２の光波長内の短波長側の帯域を＃１のＯＮＵ２の光波長側に詰めて拡張した状態である。
【００２８】
第３の制御部４７は、ポートＰ２の帯域拡張後の透過帯域の中心波長に＃２のＯＮＵ２の光送信部３１Ａで送信する光波長の中心波長をシフトすべく、＃２のＯＮＵ２の光送信部３１Ａに対して光波長制御情報を通知する。＃２のＯＮＵ２内の光送信部３１Ａは、光波長制御情報に基づき、図５Ｃに示すように帯域拡張後の透過帯域の中心波長に合わせて光波長の中心波長をシフトする。図５Ｃに示す収容状況は、ポートＰ２の帯域拡張後の透過帯域の中心波長に＃２のＯＮＵ２の光送信部３１Ａからの光波長の中心波長がシフトした状態である。
【００２９】
第１の制御部４４は、＃２のＯＮＵ２の光送信部３１Ａからの光波長の中心波長をシフトした後、＃２のＯＮＵ２の光波長内の無線信号を低周波数方向にデフラグすべく、＃２のＯＮＵ２と接続する＃２の基地局７のＲＲＨ７Ａに対して無線制御情報を通知する。＃２の基地局７内のＲＲＨ７Ａは、無線制御情報に基づき、図５Ｄに示すように＃２のＯＮＵ２の光波長内の無線信号を低周波数側にシフトする。図５Ｄに示す収容状況は、＃２のＯＮＵ２の光波長内の無線信号を低周波数側にシフトしたので、＃２のＯＮＵ２の光波長内の高周波数側に空き帯域が生じた状態である。
【００３０】
第２の制御部４５は、＃２のＯＮＵ２の光波長を短波長方向にデフラグ、すなわち＃２のＯＮＵ２の光波長内の長波長側の空き帯域を詰めるべく、ＷＳＳ２２内のポートＰ２の透過帯域を調整する。ＷＳＳ２２は、ポートＰ２の透過帯域を調整し、図５Ｅに示すように＃２のＯＮＵ２の光波長をポートＰ２から透過出力する。図５Ｅに示す収容状況は、＃２のＯＮＵ２の光波長内の長波長側の空き帯域を詰めて、＃２のＯＮＵ２の光波長を短波長側にシフトしたので、＃２のＯＮＵ２の光波長を短波長方向にデフラグした状態である。その結果、＃２のＯＮＵ２の光波長のデフラグが完了する。
【００３１】
制御部４９は、＃２のＯＮＵ２の光波長のデフラグ完了後、次に短波長の＃３のＯＮＵ２の光波長のデフラグを開始する。第２の制御部４５は、＃３のＯＮＵ２の光波長内の短波長側に、＃２のＯＮＵ２の光波長との間の空き帯域があるか否かを判定する。第２の制御部４５は、＃３のＯＮＵ２の光波長の短波長側に空き帯域がある場合、空き帯域分、＃３のＯＮＵ２の光波長内の短波長側の帯域を広げるべく、ＷＳＳ２２内のポートＰ３の透過帯域を調整する。尚、＃３のＯＮＵ２の光波長の帯域拡張後の帯域幅は、＃２のＯＮＵ２の光波長の帯域が重ならない程度とする。ＷＳＳ２２は、ポートＰ３の透過帯域を調整し、図６Ａに示すように＃３のＯＮＵ２の光波長をポートＰ３から透過出力する。図６Ａに示す収容状況は、＃３のＯＮＵ２の光波長内の短波長側の帯域を＃２のＯＮＵ２の光波長側に詰めて拡張した状態である。
【００３２】
第３の制御部４７は、ポートＰ３の帯域拡張後の透過帯域の中心波長に＃３のＯＮＵ２の光送信部３１Ａで送信する光波長の中心波長をシフトすべく、＃３のＯＮＵ２の光送信部３１Ａに対して光波長制御情報を通知する。＃３のＯＮＵ２内の光送信部３１Ａは、光波長制御情報に基づき、帯域拡張後の透過帯域の中心波長に合わせて光波長の中心波長をシフトする。収容状況は、ポートＰ３の帯域拡張後の透過帯域の中心波長に＃３のＯＮＵ２の光送信部３１Ａからの光波長の中心波長がシフトした状態である。
【００３３】
第１の制御部４４は、＃３のＯＮＵ２の光送信部３１Ａからの光波長の中心波長をシフトした後、＃３のＯＮＵ２の光波長内の無線信号を低周波数方向にデフラグすべく、＃３のＯＮＵ２と接続する＃３の基地局７のＲＲＨ７Ａに対して無線制御情報を通知する。＃３の基地局７内のＲＲＨ７Ａは、無線制御情報に基づき、図６Ｂに示すように＃３のＯＮＵ２の光波長内の無線信号を低周波数側にシフトする。図６Ｂに示す収容状況は、＃３のＯＮＵ２の光波長内の無線信号を低周波数側にシフトしたので、＃３のＯＮＵ２の光波長内の高周波数側に空き帯域が生じた状態である。
【００３４】
第２の制御部４５は、＃３のＯＮＵ２の光波長を短波長方向にデフラグ、すなわち＃３のＯＮＵ２の光波長内の長波長側の空き帯域を詰めるべく、ＷＳＳ２２内のポートＰ３の透過帯域を調整する。ＷＳＳ２２は、ポートＰ３の透過帯域を調整し、図６Ｃに示すように＃３のＯＮＵ２の光波長をポートＰ３から透過出力する。図６Ｃに示す収容状況は、＃３のＯＮＵ２の光波長内の長波長側の空き帯域を詰めて、＃３のＯＮＵ２の光波長を短波長側にシフトしたので、＃３のＯＮＵ２の光波長を短波長方向にデフラグした状態である。その結果、＃３のＯＮＵ２の光波長のデフラグが完了する。
【００３５】
制御部４９は、＃３のＯＮＵ２の光波長のデフラグ完了後、次に短波長の＃４のＯＮＵ２の光波長のデフラグを開始する。第２の制御部４５は、＃４のＯＮＵ２の光波長内の短波長側に、＃３のＯＮＵ２の光波長との間の空き帯域があるか否かを判定する。第２の制御部４５は、＃４のＯＮＵ２の光波長の短波長側に空き帯域がある場合、空き帯域分、＃４のＯＮＵ２の光波長内の短波長側の帯域を広げるべく、ＷＳＳ２２内のポートＰ４の透過帯域を調整する。尚、＃４のＯＮＵ２の光波長の帯域拡張後の帯域幅は、＃３のＯＮＵ２の光波長の帯域が重ならない程度とする。ＷＳＳ２２は、ポートＰ４の透過帯域を調整し、図６Ｄに示すように＃４のＯＮＵ２の光波長をポートＰ４から透過出力する。図６Ｄに示す収容状況は、＃４のＯＮＵ２の光波長内の短波長側の帯域を＃３のＯＮＵ２の光波長側に詰めて拡張した状態である。
【００３６】
第３の制御部４７は、ポートＰ４の帯域調整後の透過帯域の中心波長に＃４のＯＮＵ２の光送信部３１Ａで送信する光波長の中心波長をシフトすべく、＃４のＯＮＵ２の光送信部３１Ａに対して光波長制御情報を通知する。＃４のＯＮＵ２内の光送信部３１Ａは、光波長制御情報に基づき、図７Ａに示すように帯域拡張後の透過帯域の中心波長に合わせて光波長の中心波長をシフトする。図７Ａに示す収容状況は、ポートＰ４の帯域拡張後の透過帯域の中心波長に＃４のＯＮＵ２の光送信部３１Ａからの光波長の中心波長がシフトした状態である。
【００３７】
第１の制御部４４は、＃４のＯＮＵ２の光波長の中心波長をシフトした後、＃４のＯＮＵ２の光波長内の無線信号を低周波数方向にデフラグすべく、＃４のＯＮＵ２と接続する＃４の基地局７のＲＲＨ７Ａに対して無線制御情報を通知する。＃４の基地局７内のＲＲＨ７Ａは、無線制御情報に基づき、図７Ｂに示すように＃４のＯＮＵ２の光波長内の無線信号を低周波数側にシフトする。図７Ｂに示す収容状況は、＃４のＯＮＵ２の光波長内の無線信号を低周波数側にシフトしたので、＃４のＯＮＵ２の光波長内の高周波数側に空き帯域が生じた状態である。
【００３８】
第２の制御部４５は、＃４のＯＮＵ２の光波長を短波長方向にデフラグ、すなわち＃４のＯＮＵ２の光波長内の長波長側の空き帯域を詰めるべく、ＷＳＳ２２内のポートＰ４の透過帯域を調整する。ＷＳＳ２２は、ポートＰ４の透過帯域を調整し、図７Ｃに示すように＃４のＯＮＵ２の光波長をポートＰ４から透過出力する。図７Ｃに示す収容状況は、＃４のＯＮＵ２の光波長内の長波長側の空き帯域を詰めて、＃４のＯＮＵ２の光波長を短波長側にシフトしたので、＃４のＯＮＵ２の光波長を短波長方向にデフラグした状態である。その結果、＃４のＯＮＵ２の光波長のデフラグが完了する。
【００３９】
制御部４９は、＃４のＯＮＵ２の光波長のデフラグ完了後、すなわち、全ての光波長のデフラグが完了した場合、無線信号のグループに応じて光波長を再配置する。尚、グループとは、例えば、無線信号の種別に応じてグループ化し、例えば、低速データ及び中速データのグループと、高速データのグループとに分類するものとする。制御部４９は、＃１、＃２及び＃３の光波長内の低速及び中速データの無線信号をポートＰ１の光波長に割り当てるべく、基地局７のＲＲＨ７Ａ、ＷＳＳ２２及びＯＮＵ２内の光送信部３１Ａを制御する。更に、制御部４９は、＃３及び＃４の光波長内の高速の無線信号をポートＰ３の光波長に割り当てるべく、基地局７のＲＲＨ７Ａ、ＷＳＳ２２及びＯＮＵ２内の光送信部３１Ａを制御する。第２の制御部４５は、＃１の基地局７の無線信号及び＃２の基地局７の無線信号、更に、＃３の基地局７の無線信号の内、低速データの無線信号を収容する光波長を透過するようにポートＰ１の透過帯域を調整すべく、ＷＳＳ２２を制御する。第２の制御部４５は、＃４の基地局７の無線信号及び、＃３の基地局７の無線信号の内、高速データの無線信号を収容する光波長を透過するようにポートＰ３の透過帯域を調整すべく、ＷＳＳ２２を制御する。
【００４０】
第３の制御部４７は、＃１のＯＮＵ２の光送信部３１Ａ及び＃２のＯＮＵ２の光送信部３１ＡにポートＰ１対応の光波長、更に、＃３のＯＮＵ２の光送信部３１Ａの低速データの無線信号について、ポートＰ１対応の光波長へのシフトを指示する。また、第３の制御部４７は、＃４のＯＮＵ２の光送信部３１ＡにポートＰ３対応の光波長、＃３のＯＮＵ２の光送信部３１Ａに、高速データの無線信号について、ポートＰ３対応の光波長へのシフトを指示する。図７Ｄに示す収容状況は、＃１の基地局７の無線信号、＃２の基地局７の無線信号及び、＃３の基地局７の低速データの無線信号をポートＰ１の透過出力の光波長内に収容する。更に、収容状況は、＃４の基地局７の無線信号及び＃３の基地局７の高速データの無線信号をポートＰ３の透過出力の光波長に収容する。その結果、光通信部２１は、類似する種別の無線信号を取り扱うことになるため、その信号の処理負担を軽減できる。
【００４１】
図８は、監視処理に関わる収容局４のコントローラ１２内の処理動作の一例を示すフローチャートである。図８に示す監視処理は、光多重信号内の光波長内に無線信号の空き周波数帯域を検出した場合に空き周波数帯域の予約状況に応じてデフラグ処理を実行する処理である。
【００４２】
図８においてコントローラ１２内の制御部４９は、無線周波数監視部４２の監視結果に基づき、光波長内の無線信号の空き周波数帯域を検出したか否かを判定する（ステップＳ１１）。制御部４９は、空き周波数帯域を検出した場合（ステップＳ１１肯定）、空き周波数帯域を特定する（ステップＳ１２）。更に、制御部４９内の判定部４９Ｂは、特定された空き周波数帯域に対応する無線管理部４３内の予約状況を参照し、空き周波数帯域を使用する予約があるか否かを判定する（ステップＳ１３）。
【００４３】
制御部４９は、空き周波数帯域を使用する予約がない場合（ステップＳ１３否定）、図９に示すデフラグ処理を実行し（ステップＳ１４）、光波長内の無線信号の空き周波数帯域を検出したか否かを判定すべく、ステップＳ１１に移行する。制御部４９は、空き周波数帯域を使用する予約がある場合（ステップＳ１３肯定）、デフラグ処理を実行することなく、図８に示す処理動作を終了する。また、制御部４９は、空き周波数帯域を検出しなかった場合（ステップＳ１１否定）、図８に示す処理動作を終了する。
【００４４】
図８に示す監視処理を実行するコントローラ１２は、光波長内に無線信号の空き周波数帯域を検出し、その空き周波数帯域を使用する予約がない場合にデフラグ処理を実行する。その結果、コントローラ１２は、光波長内の無線信号の使用状況を監視しながら、デフラグ処理を実行できる。
【００４５】
コントローラ１２は、光波長内に無線信号の空き周波数帯域を検出し、その空き周波数帯域を使用する予約がある場合にデフラグ処理を実行しない。その結果、コントローラ１２は、光波長内の空き周波数帯域の使用予約がある場合に、今後、空き周波数帯域が使用されるため、無用なデフラグを抑制できる。
【００４６】
図９は、デフラグ処理に関わるコントローラ１２内の処理動作の一例を示すフローチャートである。図９に示すデフラグ処理は、光波長内の無線信号の空き帯域をデフラグしながら、光波長のデフラグを実行する処理である。
【００４７】
図９においてコントローラ１２内の制御部４９内の指定部４９Ａは、最短波長の光波長を指定する（ステップＳ２１）。尚、最短波長の光波長は、図４Ａの場合、＃１のＯＮＵ２（ポートＰ１）の光波長である。制御部４９は、指定された光波長の短波長側に空き帯域があるか否かを判定する（ステップＳ２２）。尚、空き帯域とは、指定された光波長の帯域幅が短波長側に拡張できる帯域である。図４Ｂに示すようにポートＰ１の光波長が最短波長の場合は、空き帯域なしと判断するものとする。
【００４８】
コントローラ１２内の第１の制御部４４は、指定された光波長の短波長側に空き帯域がない場合（ステップＳ２２否定）、指定された光波長内の無線信号を指定する（ステップＳ２３）。第１の制御部４４は、指定された無線信号を低周波数方向にデフラグすべく、指定された無線信号の無線周波数のシフトを指示する無線制御情報を該当基地局７のＲＲＨ７Ａに通知する（ステップＳ２４）。
【００４９】
第１の制御部４４は、指定された光波長内の全ての無線信号のシフトが完了したか否かを判定する（ステップＳ２５）。第１の制御部４４は、光波長内の全ての無線信号のシフトが完了しなかった場合（ステップＳ２５否定）、光波長内の次の無線信号を指定し（ステップＳ２６）、指定された無線信号を低周波数方向にデフラグすべく、ステップＳ２４に移行する。
【００５０】
制御部４９は、指定された光波長内の全ての無線信号のシフトが完了した場合（ステップＳ２５肯定）、次に指定する光波長があるか否かを判定する（ステップＳ２７）。制御部４９内の指定部４９Ａは、次に指定する光波長がある場合（ステップＳ２７肯定）、次の光波長を指定し（ステップＳ２８）、指定された光波長の短波長側に空き帯域があるか否かを判定すべく、ステップＳ２２に移行する。
【００５１】
第２の制御部４５は、例えば、図５Ａに示すように、指定された光波長の短波長側に空き帯域がある場合（ステップＳ２２肯定）、短波長側の空き帯域を詰めるように光波長の透過帯域を拡張すべく、ポートＰの透過帯域を調整する（ステップＳ２９）。尚、第２の制御部４５は、例えば、図５Ｂに示すように、＃２のＯＮＵ２の光波長の短波長側の空き帯域を詰めるようにポートＰ２の透過帯域を拡張する。
【００５２】
第３の制御部４７は、帯域拡張後の透過帯域の中心波長に、当該帯域拡張後の透過帯域を通過する光波長の中心波長をシフトすべく、ＯＮＵ２側の光送信部３１Ａに対して光波長制御情報を通知する（ステップＳ３０）。尚、第３の制御部４７は、例えば、図５Ｃに示すように、ポートＰ２の帯域拡張後の透過帯域の中心波長に＃２のＯＮＵ２側の光送信部３１Ａの光波長の中心波長をシフトする。第１の制御部４４は、指定された光波長内の無線信号を指定する（ステップＳ３１）。第１の制御部４４は、指定された無線信号を低周波数方向にデフラグすべく、指定された無線信号の無線周波数のシフトを指示する無線制御情報を該当基地局７のＲＲＨ７Ａに通知する（ステップＳ３２）。
【００５３】
第１の制御部４４は、指定された光波長内の全ての無線信号のシフトが完了したか否かを判定する（ステップＳ３３）。第１の制御部４４は、光波長内の全ての無線信号のシフトが完了しなかった場合（ステップＳ３３否定）、光波長内の次の無線信号を指定し（ステップＳ３４）、指定された無線信号を低周波数方向にデフラグすべく、ステップＳ３２に移行する。その結果、第１の制御部４４は、例えば、図５Ｄに示すように、＃２のＯＮＵ２の光波長内の全ての無線信号の低周波数側へのシフトを完了することになる。
【００５４】
第２の制御部４５は、指定された光波長内の全ての無線信号のシフトが完了した場合（ステップＳ３３肯定）、指定された光波長内の帯域幅の空き帯域を詰めるように当該光波長のポートＰの透過帯域を調整する（ステップＳ３５）。更に、制御部４９は、全ての光波長のデフラグが完了したか否かを判定する（ステップＳ３６）。制御部４９は、全ての光波長のデフラグが完了しなかった場合（ステップＳ３６否定）、次の光波長を指定すべく、ステップＳ２８に移行する。
【００５５】
制御部４９は、全ての光波長のデフラグが完了した場合（ステップＳ３６肯定）、ＷＳＳ２２のポートＰの再配置が可能であるか否かを判定する（ステップＳ３７）。尚、全ての光波長のデフラグが完了した場合とは、例えば、図７Ｃに示す収容状態となる。制御部４９は、ＷＳＳ２２のポートＰの再配置が可能の場合（ステップＳ３７肯定）、図７Ｄに示すように、ポート再配置すべく、ＷＳＳ２２等を制御し（ステップＳ３８）、図９に示す処理動作を終了する。また、制御部４９は、ＷＳＳ２２のポートＰの再配置が可能でない場合（ステップＳ３７否定）、図９に示す処理動作を終了する。
【００５６】
コントローラ１２は、指定された光波長内の無線信号を低周波数側にシフトし、指定された光波長内の無線信号のシフトで得た空き帯域を詰めるべく、光波長を短波長側にシフトする。そして、コントローラ１２は、無線信号及び光波長のシフトを順次繰り返すことで、無線信号及び光波長を順次デフラグする。その結果、コントローラ１２は、光波長内の無線信号の使用状況に応じて無線信号及び光波長のデフラグを実行することで、光波長の伝送効率を高める。
【００５７】
実施例１の収容局４は、指定された光波長内の無線信号を低周波数側にシフトすべく、ＯＮＵ２側の基地局７のＲＲＨ７Ａを制御する。更に、収容局４は、光波長内の無線信号のシフトの都度、無線信号シフトで得た空き帯域で光波長を短波長側にシフトすべく、ＷＳＳ２２を制御する。その結果、収容局４は、光波長内の無線信号をデフラグし、そのデフラグで得た空き帯域で光波長をデフラグするため、無線信号及び光波長のリソースの使用効率を高めながら、光波長の伝送効率の向上を図る。しかも、高負荷時の光波長の帯域幅を確保しながら、低負荷時には光波長の帯域幅を短くするため、その光通信部２１及び３１の消費電力を抑制できる。無線信号の空き状況に応じて無線周波数及び光波長を連携してシフトできるため、低負荷時における光通信部２１及び３１の消費電力を節減できる。
【００５８】
収容局４は、光波長の低波長側に空き帯域がある場合、低波長側の空き帯域分、光波長の帯域幅を拡張し、帯域拡張後の光波長の中心波長をＯＮＵ２側の光送信部３１Ａで送信する光波長の中心波長にシフトすべく、ＯＮＵ２側の光送信部３１Ａを制御する。更に、収容局４は、中心波長シフト後の光波長内の無線信号をデフラグし、無線信号デフラグ後の光波長を透過出力すべく、ＷＳＳ２２を制御した。その結果、収容局４は、光波長を順次デフラグすることで、光波長の伝送効率の向上を図る。
【００５９】
収容局４は、光多重信号内の光波長毎のデフラグ完了後に、無線信号のグループに応じて、無線信号のグループ毎に光波長を割り当て、その割り当てられた光波長を透過するポートＰの透過帯域を調整すべく、ＷＳＳ２２を制御した。つまり、収容局４は、光波長のデフラグ後、無線信号のグループに応じて光波長を再配置した。その結果、収容局４は、無線信号のグループに応じて光波長を割り当てることになるため、光波長毎にグループ毎の無線信号を処理できることで、その信号処理に要する処理負担を軽減できる。
【００６０】
収容局４は、光多重信号内の光波長内の無線信号の空き周波数帯域を検出した場合に、当該空き周波数帯域の予約状況に基づき、デフラグ処理の実行可否を判定する。すなわち、収容局４は、空き周波数帯域が予約済みの場合、デフラグ処理を実行せず、空き周波数帯域が予約済みでない場合、デフラグ処理を実行する。その結果、空き周波数帯域が予約済みの場合に無用なデフラグ処理を回避できる。
【００６１】
尚、上記実施例１の光伝送システム１は、例えば、＃１の基地局７、＃２の基地局７、＃３の基地局７及び＃４の基地局７が地理的に近接する地域に配置した場合を例示した。しかしながら、＃１の基地局７、＃２の基地局７及び＃３の基地局７を隣接地域、例えば、都市に配置し、＃４の基地局７及び＃５の基地局７を都市から離れた郊外の隣接地域に配置した場合でも良く、この場合の実施の形態につき、実施例２として以下に説明する。
【実施例２】
【００６２】
図１０Ａ〜図１０Ｃ、図１１Ａ〜図１１Ｃは、実施例２の収容局４側のデフラグ処理に関わる光波長毎の無線信号の収容状況の一例を示す説明図である。尚、実施例１の光伝送システム１と同一の構成には同一符号を付すことで、その重複する構成及び動作の説明については省略する。
【００６３】
図１０Ａの収容状況では、＃１のＯＮＵ２の光波長、＃２のＯＮＵ２の光波長、＃３のＯＮＵ２の光波長、＃４のＯＮＵ２の光波長及び、＃５のＯＮＵ２の光波長を収容している。＃１のＯＮＵ２の光波長には＃１の基地局７の無線信号、＃２のＯＮＵ２の光波長には＃２の基地局７の無線信号、＃３のＯＮＵ２の光波長には＃３の基地局７の無線信号を収容している。＃４のＯＮＵ２の光波長には＃４の基地局７の無線信号、＃５のＯＮＵ２の光波長には＃５の基地局７の無線信号を収容している。尚、＃１の基地局７、＃２の基地局７及び＃３の基地局７は都市内の隣接地域に配置され、＃４の基地局７及び＃５の基地局７は郊外の隣接地域に配置されているものとする。日中は、都市部の＃１、＃２及び＃３の基地局７の無線トラヒック量が高く、郊外の＃４及び＃５の基地局７の無線トラヒック量が都市部に比較して少ないものとする。
【００６４】
都市部の＃１、＃２及び＃３の基地局７は、労働者の帰宅時間が近くなるに連れて、図１０Ｂに示すように、無線トラヒック量が徐々に低下する。制御部４９は、都市部の＃１、＃２及び＃３の基地局７の無線トラヒック量の低下、すなわち光波長内の無線信号の空き周波数帯域を検出した場合に、図１０Ｃに示すように、＃１、＃２及び＃３のＯＮＵ２の光波長をデフラグする。すなわち、制御部４９は、＃１のＯＮＵ２の光波長内の＃１の基地局７の無線信号をデフラグした後、＃１のＯＮＵ２の光波長をデフラグする。更に、制御部４９は、＃２のＯＮＵ２の光波長内の＃２の基地局７の無線信号をデフラグした後、＃２のＯＮＵ２の光波長をデフラグする。更に、制御部４９は、＃３のＯＮＵ２の光波長内の＃３の基地局７の無線信号をデフラグした後、＃３のＯＮＵ２の光波長をデフラグする。その結果、制御部４９は、＃１、＃２及び＃３のＯＮＵ２の光波長のデフラグが完了する。
【００６５】
更に、制御部４９は、＃１、＃２及び＃３のＯＮＵ２の光波長のデフラグ後、郊外にある＃４及び＃５の基地局７の無線トラヒック量の上昇を見越して、＃１、＃２、＃３、＃４及び＃５の基地局７に割り当てる光波長を再配置する。制御部４９は、図１１Ａに示すように、＃１及び＃２の基地局７の無線信号をポートＰ１の光波長、＃３の基地局７の無線信号をポートＰ２の光波長、＃４の基地局７の無線信号をポートＰ３の光波長、＃５の基地局７の無線信号をポートＰ４の光波長に割り当てる。
【００６６】
更に、制御部４９は、郊外の＃４及び＃５の基地局７の無線トラヒック量の上昇を見越し、＃４及び＃５の基地局７に割り当てる各光波長の帯域幅を広くすべく、図１１Ｂに示すように、ポートＰ３及びＰ４の透過帯域を調整する。その結果、制御部４９は、ポートＰ３及びポートＰ４の光波長の透過帯域を拡張して光波長の帯域幅を広くしているため、＃４及び＃５の基地局７の無線トラヒック量の上昇に対応できる。
【００６７】
更に、制御部４９は、＃４及び＃５の基地局７のトラヒック量が実際に上昇した場合でも、＃４及び＃５の基地局７に割り当てた光波長の帯域幅が広くなっている。その結果、制御部４９は、図１１Ｃに示すように、ポートＰ３の透過帯域で＃４の基地局７の無線信号、ポートＰ４の透過帯域で＃５の基地局７の無線信号を伝送できる。
【００６８】
実施例２の光伝送システム１では、都市及び郊外の無線トラヒック量の変化に応じて光波長を再配置したので、都市及び郊外の無線トラヒック量の変化に柔軟に対応しながら、光波長の伝送効率の向上を図ることができる。  
【００６９】
尚、上記実施例１では、例えば、＃２のＯＮＵ２の光波長内の短波長側に空き帯域がある場合、光波長の短波長側の空き帯域分、光波長の帯域を拡張した後、帯域拡張後の光波長の中心波長に＃２のＯＮＵ２の光波長の中心波長をシフトする。更に、中心波長シフト後の光波長内の無線信号を低周波数側にシフトし、無線信号シフト後の光波長を低波長側にシフトした。しかしながら、この処理方法に限定されるものではなく、図１２Ａ〜図１２Ｄの方法を使用しても良い。
【００７０】
制御部４９は、＃１のＯＮＵ２の光波長のデフラグ後、次に短波長の＃２のＯＮＵ２の光波長のデフラグを開始する。第２の制御部４５は、＃２のＯＮＵ２の光波長の短波長側に空き帯域がある場合、空き帯域分、＃２のＯＮＵ２の光波長内の短波長側の帯域を広げるべく、ＷＳＳ２２内のポートＰ２の透過帯域を調整する。尚、＃２のＯＮＵ２の光波長の帯域拡張後の帯域幅は、＃１のＯＮＵ２の光波長の帯域が重ならない程度とする。ＷＳＳ２２は、ポートＰ２の透過帯域を調整し、図１２Ａに示すように＃２のＯＮＵ２の光波長をポートＰ２から透過出力する。図１２Ａに示す収容状況は、＃２のＯＮＵ２の光波長内の短波長側の帯域を＃１のＯＮＵ２の光波長側に詰めて拡張した状態である。
【００７１】
第１の制御部４４は、＃２のＯＮＵ２の光波長内の無線信号を低周波数方向にデフラグすべく、＃２のＯＮＵ２と接続する＃２の基地局７のＲＲＨ７Ａに対して無線制御情報を通知する。＃２の基地局７内のＲＲＨ７Ａは、無線制御情報に基づき、図１２Ｂに示すように＃２のＯＮＵ２の光波長内の無線信号をシフトする。図１２Ｂに示す収容状況は、＃２のＯＮＵ２の光波長内の無線信号をシフトしたので、＃２のＯＮＵ２の光波長内の高周波数側に空き帯域が生じた状態である。
【００７２】
第３の制御部４７は、＃２のＯＮＵ２の光波長内の無線信号のデフラグ後、ポートＰ２の帯域拡張後の透過帯域の中心波長に＃２のＯＮＵ２の光送信部３１Ａで送信する光波長の中心波長をシフトすべく、＃２のＯＮＵ２に対して光波長制御情報を通知する。＃２のＯＮＵ２内の光送信部３１Ａは、光波長制御情報に基づき、図１２Ｃに示すように帯域拡張後の透過帯域の中心波長に合わせて光波長の中心波長をシフトする。図１２Ｃに示す収容状況は、ポートＰ２の帯域拡張後の透過帯域の中心波長に＃２のＯＮＵ２の光送信部３１Ａからの光波長の中心波長がシフトした状態である。
【００７３】
第２の制御部４５は、＃２のＯＮＵ２の光波長を短波長方向にデフラグ、すなわち＃２のＯＮＵ２の光波長内の長波長側の空き帯域を詰めるべく、ＷＳＳ２２内のポートＰ２の透過帯域を調整する。ＷＳＳ２２は、ポートＰ２の透過帯域を調整し、図１２Ｄに示すように＃２のＯＮＵ２の光波長をポートＰ２から透過出力する。図１２Ｄに示す収容状況は、＃２のＯＮＵ２の光波長内の長波長側の空き帯域を詰めて、＃２のＯＮＵ２の光波長を短波長側にシフトしたので、＃２のＯＮＵ２の光波長を短波長方向にデフラグした状態である。その結果、＃２のＯＮＵ２の光波長のデフラグが完了したことになる。つまり、光波長の低波長側の空き帯域分、光波長の帯域を拡張した後、帯域拡張後の光波長内の無線信号をデフラグし、無線信号デフラグ後に、帯域拡張後の光波長の中心波長にＯＮＵ２側の光送信部３１Ａ側に光波長の中心波長をシフトする。更に、光波長の中心波長シフト後の光波長をデフラグした場合でも、光波長のデフラグを実現できる。
【００７４】
尚、上記実施例では、無線制御情報をＲＲＨ７Ａに通知する方法として、無線制御情報を光多重信号内のヘッダ部分に配置する場合を例示した。しかしながら、通知方法としては、例えば、無線制御情報を光多重信号に重畳する場合や、コントローラ１２とＲＲＨ７Ａとの間の制御線を通じて無線制御情報を通知する方法等があり、その方法は適宜変更可能である。
【００７５】
上記実施例では、光波長制御情報を光通信部３１に通知する方法として、光波長制御情報を光多重信号内のヘッダ部分に配置する場合を例示した。しかしながら、通知方法としては、例えば、光波長制御情報を光多重信号に重畳する場合や、コントローラ１２と光通信部３１との間の制御線を通じて光波長制御情報を通知する方法等があり、その方法は適宜変更可能である。
【００７６】
上記実施例では、光波長のデフラグ完了後、光波長の再配置を実行したが、光波長の再配置を実行しなくても良い。
【００７７】
上記実施例では、光波長のデフラグ完了後に実行する光波長の再配置として、無線信号のグループに応じて光波長を再配置した。低速データ及び中速データの無線信号を同一グループとした。しかしながら、低速データ及び中速データを異なるグループとしても良く、グループ構成は適宜変更可能である。
【００７８】
上記実施例では、無線信号をデフラグする方向を低周波数側、光波長をデフラグする方向を短波長側にシフトする場合を例示した。しかしながら、無線信号及び光波長をデフラグする方向は、これらに限定されるものではなく、適宜変更可能である。
【００７９】
無線信号をデフラグする方向としては、不使用の周波数帯の空き方で低周波数側若しくは高周波数側にシフトしても良く、使用している無線信号の本数が少ない方向にシフトさせることで、無線信号のシフトに要する処理負担を低減できる。
【００８０】
また、光波長をデフラグする方向としては、長波長側に寄せるシフト、長波長側と短波長側との両端に寄せるシフト、短波長側の帯域及び長波長側の帯域を空きにして中間の帯域に集めるシフトでも良い。また、使用する信号の品質を高く保ちたい場合や、後から割り当てる信号の品質を高く保ちたい場合を想定してシフトする方向を決めても良い。
【００８１】
また、長波長側の方が短波長側よりもＯＳＮＲ（Optical  Signal  to  Noise  Ratio）の信号品質が高くなる。使用している信号の品質を高く保ちたい場合は、長波長側に寄せるシフトを実行することで、信号品質の高い伝送を確保できる。
【００８２】
短波長側の帯域及び長波長側の帯域を空きにして中間の帯域に集めるシフトの場合、短波長と長波長との中間の波長は、光信号のパワーの波長依存性が小さく、パワーの均一性が高くなる。その結果、波長間でのパワーや無線信号のパワーを均一にできる。
【００８３】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００８４】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【００８５】
２  ＯＮＵ
３  ＯＬＴ
７Ａ  ＲＲＨ
２１  光通信部
２２  ＷＳＳ
３１Ａ  光送信部
４４  第１の制御部
４５  第２の制御部
４７  第３の制御部
４９Ａ  指定部
４９Ｂ  判定部
【図１】
0006589714.tif 000002
【図２】
0006589714.tif 000003
【図３】
0006589714.tif 000004
【図４Ａ】
0006589714.tif 000005
【図４Ｂ】
0006589714.tif 000006
【図４Ｃ】
0006589714.tif 000007
【図５Ａ】
0006589714.tif 000008
【図５Ｂ】
0006589714.tif 000009
【図５Ｃ】
0006589714.tif 000010
【図５Ｄ】
0006589714.tif 000011
【図５Ｅ】
0006589714.tif 000012
【図６Ａ】
0006589714.tif 000013
【図６Ｂ】
0006589714.tif 000014
【図６Ｃ】
0006589714.tif 000015
【図６Ｄ】
0006589714.tif 000016
【図７Ａ】
0006589714.tif 000017
【図７Ｂ】
0006589714.tif 000018
【図７Ｃ】
0006589714.tif 000019
【図７Ｄ】
0006589714.tif 000020
【図８】
0006589714.tif 000021
【図９】
0006589714.tif 000022
【図１０Ａ】
0006589714.tif 000023
【図１０Ｂ】
0006589714.tif 000024
【図１０Ｃ】
0006589714.tif 000025
【図１１Ａ】
0006589714.tif 000026
【図１１Ｂ】
0006589714.tif 000027
【図１１Ｃ】
0006589714.tif 000028
【図１２Ａ】
0006589714.tif 000029
【図１２Ｂ】
0006589714.tif 000030
【図１２Ｃ】
0006589714.tif 000031
【図１２Ｄ】
0006589714.tif 000032